(57)【特許請求の範囲】
【請求項１】
外ケースと、外ケースの１側端面から該外ケース内へ摺動自在に挿入されている内ケースとで、扁平な略直６面体形状とされている厚紙、板紙の類で成形された収納ケースにおいて、外ケースの正面板の上縁に、ケース内下方向きに折曲された係止片が一体成形されており、内ケースの背面板の上縁に、蓋片と、蓋片の前縁から下方向きに折曲された上正面板とが一体成形され、内ケースの背面板の下部に、底片と、底片前縁から上方向きに折曲された下正面板とが一体成形されており、前記内ケースの下正面板の上辺部分が、内ケースの引き出し摺動時に、外ケースの正面板の背面と係止片との間の間隙部内の該係止片の折曲部分に係止される係合片とされており、内ケースの下正面板の係合片の上縁部と、外ケースの正面板に折曲形成された係止片の折曲部分との係合位置は、ケース内の記録用媒体取り出しのため引き出されたときの内ケースの、背面板に形成された外側方への折曲線の位置が、外ケースの背面板の上縁直上部の位置を占めた位置に整合させられている記録用媒体の収納ケース。
【発明の詳細な説明】
【０００１】
【発明の属する技術分野】
本発明は、コンパクトディスク、フロッピーディスク、光磁気ディスク等の記録用媒体の包装用の収納ケースに関する。
【０００２】
【従来の技術】
この種の記録用媒体の包装用の収納ケースとしては、国際公開公報ＷＯ９７／３８９１９或いは特開平１１−３０１７６９号公報に開示されているものが知られている。
【０００３】
【発明が解決しようとする課題】
前記公知の記録用媒体の包装用の収納ケースは、収納するコンパクトディスク等の各種記録用媒体（以下ＣＤと略称）が収納される内ケースのＣＤ保持構造が複雑であり、専用の製箱装置を必要とする問題とか、利用者がＣＤを収納ケース内へ収納する際、ＣＤをＣＤ載置板の背面側へ挿入してしまう等の問題があり、更には紙料の使用量が多くなり、コスト高となる等の問題を有している。
【０００４】
このため、本発明は、構造が簡単であり、既存の製箱装置と製箱方法とを利用し、収納ケースに対応した部品交換のみで自動的に製箱できると共に、利用者のＣＤ収納時に、違位置への挿入等を生ずることが無く、かつ必要最小限の紙料使用量としうるＣＤ等の収納ケースを提供することを課題としている。
【０００５】
【課題を解決するための手段】
前記課題を解決するため、請求項１の発明では、外ケースと、外ケースの１側端面から外ケース内へ摺動自在に挿入される内ケースとで扁平略直６面体形状とされている収納ケースの、外ケースの正面板の上縁に、ケース内下方向きに折曲された係止片を一体に形成し、内ケースの背面板の上縁に、蓋片と、蓋片の前縁から下方向きに折曲された上正面板とを一体に形成すると共に、前記背面板の下部に、底片と底片前縁から上向きに折曲された下正面板とを一体に形成し、前記内ケースの下正面板の上辺部分を、内ケースの引き出し摺動時に、前記外ケースの正面板の背面と前記係止片との間の間隙部分内における該係止片の折曲部分に係止される係合片とし、更に、内ケースの下正面板の係合片の上縁部と、外ケースの正面板に折曲形成されている係止片の折曲部分との係合位置を、ケース内の記録用媒体取り出しのため引き出されたときの内ケースの背面板に形成されている外側方への折曲線が、外ケースの背面板の上縁直上部の位置を占める位置に整合させるという構成とした。
【０００７】
【発明の実施の形態】
図は、本発明を適用した実施の一例を示しており、図１は外ケース１の正面図であり、図２は該外ケース１の背面図であって、図３に示されるブランク２から折り畳み、接着によって、扁平な略直６面体形状に成形されている。
【０００８】
ブランク２は、外ケース１の正面板３となる正面板部分３Ａの上縁４に、山折線４Ａを介して後述する係止片５となる係止片部分５Ａが一体に延設されており、正面板部分３Ａの左右両側には外ケース１の左右両側壁６、７となる側壁部分６Ａ、７Ａが山折線８Ａ、９Ａを介して一体に延設され、側壁部分６Ａ、７Ａの外側には山折線１０Ａ、１１Ａを介して後述する背面板１２の背面に接着される接着片１３、１４が延設されている。
【０００９】
正面板部分３Ａの下縁１５には、山折線１６Ａ、１７Ａを介して前記背面板１２となる背面板部分１８Ａが一体に延設されていており、山折線１６Ａ、１７Ａの間は外ケース１の底片１０２を形成する底片部分１０３とされている。
【００１０】
前記係止片部分５Ａは、先に山折線４Ａにより、外ケース１内へ下方向きに折曲されて係止片５とされ、その後に側壁部分６Ａ、７Ａ、背面部分１８Ａの折曲、背面部分１８Ａの背面への接着片１３、１４の折曲、接着が行われ、外ケース１に成形される。
【００１１】
図３中符号１９、２０は、後述する内ケース２１の引き出し時の摘み用空隙２２を形成するための切除部である。
【００１２】
また背面板１２の上縁２３は、図２に示される如く、正面板３の上縁４より僅かに下位に位置するよう成形されている。
【００１３】
図４は内ケース２１の正面図であり、図５は該内ケース２１の背面図であって図６に示されるブランク２４から折り畳みにより、図４、図５及び図７、図８の模型的に示されてる内ケース２１の如き扁平折曲形状に成形されている。
【００１４】
ブランク２４は、内ケースの背面板２５となる背面板部分２５Ａの上縁の平行する山折線２６Ａ、２７Ａを介して、後述する蓋片２８となる蓋片部分２８Ａが延設され、前記山折線２６Ａに後述する上正面板２９となる上正面板部分２９Ａが一体に延設されている。
【００１５】
背面板部分２５Ａの下縁３０には山折線３１Ａ、３２Ａと、両山折線３１Ａ、３２Ａの中央部分に形成された台形スリット３３と、両山折線３１Ａ及び３２Ａの各外端部に連続する鍵形スリット３４、３５とを介して、後述する下正面板３６となる下正面板部分３６Ａが一体に連続させられており、図６において下正面板部分３６Ａの下端縁は後述する係合片１０５の上縁１０６となる。
【００１６】
前記台形スリット３３の頂辺３７と山折線３２Ａとの間隔Ｈは、鍵形スリット３４、３５の底辺３８、３９と山折線３１Ａとの間隔Ｈと等しくされ、この台形スリット３３と鍵形スリット３４、３５とで囲まれた部分は、後述する脚片４０、４１、４２となる脚片部分４０Ａ、４１Ａ、４２Ａとされている。
【００１７】
前記背面板部分２５の中央域即ち後述する内ケース２１がケース内の記録用媒体の取り出しのため、外ケース１から引き出され、係止されたとき、外ケース１の背面板１２の上縁２３の直上位置に対応する位置に谷折線４３Ａが形成されている。
【００１８】
前記背面板部分２５Ａの下縁３０に形成されている山折線３１Ａ、３２Ａは、図７、図８に模型的に示された内ケース１００即ち内ケース２１の内底片、即ち図４、図５に符号４４で示される内底片を形成する内底片部分４４Ａ、４４Ｂとされている。
【００１９】
図６に示されるブランク２４は、各山折線２６Ａ、２７Ａ、３１Ａ、３２Ａに従って、図６において紙面裏側へ角度９０度折曲されることにより、図４に示される正面図、図５に示される背面図に示される形状に折曲形成され、脚片部分４１Ａ、４２Ａは背面部分２５と同一平面内に留まって脚片４１、４２となり、脚片部分４０Ａは上下反転させられて脚片４０となり、収納ケース１０４に組立てられたとき、各脚片は同一平面上に即ち外ケース１の底片１０２の内面に接する。
【００２０】
図１、図２及び図７、図８に示される如く折曲され、接着されて成形された外ケース１内には、図４、図５及び図７、図８に示される如く折曲成形された内ケース２１が外ケースの図２に示される開口部４５から挿入され、図７に模型的に図示される組立てられた収納ケース１０４に組み立てられる。
【００２１】
図７及び図８は、構造を明示するため高さＬに対し、厚さＷを著しく拡大して模型的に図示してある。
【００２２】
図４に示される如く折曲形成された内ケース２１の下正面板３６の上辺部分は係合片１０５とされその上縁１０６が外ケース１の係止片５との係合部分とされている。
【００２３】
他方外ケース１の図１及び図７に示される係止片５は、図３に示される如く、正面板３の上縁４における山折線４Ａにおいて外ケース１内の下方へ向けて折曲形成されており、この係止片５と正面板３の背面との間に縦断面で鋭三角状の間隙部が形成されており、その間隙部の頂部即ち山折線４Ａによる折曲部が、内ケース２１の係合片１０５の上縁１０６との係合部とされており、また係止片５は山折線４Ａの復元弾性により、背面板１２側へ偏り、前記縦断面鋭三角状の間隙部の開口部分を形成している。
【００２４】
図７は外ケース１内に内ケース２１が静止位置、即ち脚片４０、４１、４２が外ケース１の底片１０２に当接した位置を示しており、内ケース２１の下正面板３６の上辺部分の係止片１０５は前記外ケース１の係止片５と正面板３の背面との間の間隙部から離間した位置を占めており、山折線３１Ａ、３２Ａの復元弾性により、外ケース１の正面板３の背面に係合片１０５が当接している。
【００２５】
図８は内ケース２１（１００）が収納されている記録用媒体の取り出しのため、係合片１０５が外ケース１の係止片５によって係止された状態を示しており、係合片１０５の上縁１０６が外ケース１の係止片５と正面板３の背面との間隙部内に入り、その頂部即ち山折線４Ａによる係止片５の折曲部分の内側に当接し、それ以上の引き出しが阻止され、内ケース２１（１００）が停止された状態を示している。
【００２６】
内ケース２１（１００）の係止片１０５が、係止片５、即ちその折曲部分の内側に当接し、係止された位置は、該内ケース２１（１００）の背面板２５の中央域に形成されている谷折線４３Ａが、外ケース１の背面板１２の上縁２３の直上部の位置を占めた位置となるように各部寸法が選定されている、即ち両位置が整合させられている。
【００２７】
本発明に係る記録用媒体の収納ケース１０４は、以上説明した構成であり、収納されている記録用媒体の取り出しのため、内ケース２１が引き出され、その係合片１０５が外ケース１の係止片５によって係止されるとき、外ケース１の係止片５は、該外ケース１の正面板３の上縁４に連続して一体に成形された係止片部分５Ａが該上縁４から外ケース１内の下方向きに折曲して成形されており、内ケース２１側の係止片１０５は、該内ケース２１の下正面板３６の上辺部分が係合片とされたものであり、係止片５と係合片１０５との係止力は、収納ケース１０４の内腔における外ケース１の正面板３と内ケース１０４の背面板２５との間隔が係止片５と係合片１０５との上下方向の長さに比し著しく短寸法であることにより、係止片５と係合片１０５との変形による係止解放は生じ得ず、両片が破断するまでに要する外力の強さがその係止力となるので、著しく大きな係止力を発現できる。
【００２８】
また、記録用媒体の収納のため、空の収納ケース１０４から内ケース２１を係止されるまで引き出した状態では、図８に示されるように収納ケース１０４内の正面板部分と背面板部分とのいずれも端縁を外ケース１の底片１０２に向けた板体で形成され、記録用媒体の挿入時に、挿入位置を誤らせる如く、端縁を開口部に向けた板体が存在しないので常に正確な挿入を実現できる。
【００２９】
また、各部材の折曲方向は、扁平な略直６面体の長軸方向と短転方向とに直交する方向とされているので、既存の自動製箱手段で製箱できる。
【００３０】
【発明の効果】
請求項１の発明によると、係止片を外ケースの正面板の上縁から収納ケース内下方向きに折曲された正面板と一連の板材で形成し、その折曲部分を係止部分とし、係止される係合片を、内ケースの背面板の下縁から一連に延設されている下正面板の上辺部分とし、その上縁が前記折曲部分たる係止部分に係止されるように構成されているので簡単な構造にもかかわらず、確実で著しく強い係止力を発現できる効果を奏する。
【００３１】
また、収納ケース内には、開口部からの記録用媒体の挿入時に挿入位置を誤らせる如き立壁状の板部材が全く存在しないので、誤挿入を防止できる効果も有する。
【００３２】
構造が簡単であり、製箱時の各片の折曲方向が、扁平な直６面体の長軸方向と短軸方向とに直交する方向のみとされるので、既存の自動製箱手段による製箱を可能とする効果も有する。
【００３３】
構造が簡単であり、既存の自動製箱が可能であることにより、必要紙料量の減少、作業効率の向上、必要作業人員の削減を図ることができ、コストの低減を図りうる効果も有している。
【００３４】
更に、請求項１の発明によると、係止片と係合片とが係止位置を占めたとき、収納ケース内の記録用媒体を取り出しやすくするため、内ケースの背面板に形成される外側方向への折曲線の位置が外ケースの背面板の上縁直上部の位置を占めるように整合されているので、前記の効果を奏するにもかかわらず記録用媒体の取り出し、再収納に際し、該媒体を確実に収納ケース内に、一部を露出させた状態で仮保持できる効果を奏する。
【図面の簡単な説明】
【図１】  外ケースの正面図である。
【図２】  外ケースの背面図である。
【図３】  外ケース用ブランクの展開平面図である。
【図４】  内ケースの正面図である。
【図５】  内ケースの背面図である。
【図６】  内ケース用ブランクの展開平面図である。
【図７】  外ケース内に内ケースが完全に挿入された状態を模型的に、収納ケースの厚さのみを大きくして示した略示縦断面図である。
【図８】  内ケースが外ケースから係止されるまで引き出された状態を示す図７と同様の略示縦断面図である。
【符号の説明】
１  外ケース
２  ブランク
３  正面板
４  上縁
５  係止片
１２  背面板
１５  下縁
２１、１００  内ケース
２３  上縁
２４  ブランク
２５  背面板
２９  上正面板
３０  下縁
３６  下正面板
１０４  収納ケース
１０５  係合片
１０６  上縁
【図１】
0004117697.tif 000002
【図２】
0004117697.tif 000003
【図３】
0004117697.tif 000004
【図４】
0004117697.tif 000005
【図５】
0004117697.tif 000006
【図６】
0004117697.tif 000007
【図７】
0004117697.tif 000008
【図８】
0004117697.tif 000009